(57)【特許請求の範囲】
【請求項１】
装飾部が指の背の部分に来るように指に嵌められるリング部を備えた指輪であって、
前記リング部の中心に対して前記装飾部とは反対側の部分に、データを記憶させた記憶素子が、非金属材料によって被覆されかつその非金属材料を介して前記リング部の外周面側に露出した状態で取り付けられ、さらに前記装飾部とは反対側の部分における前記リング部の外表面に、前記非金属材料の露出面を模様の一部に含む装飾が施されていることを特徴とする指輪。
【請求項２】
前記記憶素子は、前記装飾部とは反対側の部分に形成された凹部内に配置され、かつその凹部に電磁波の伝播可能な前記非金属材料が充填されていることを特徴とする請求項１に記載の指輪。
【請求項３】
前記記憶素子は、前記装飾部とは反対側の部分に形成された凹部内に配置され、かつその凹部が電磁波の伝播可能な前記非金属材料で閉鎖されていることを特徴とする請求項１に記載の指輪。
【発明の詳細な説明】
【技術分野】
【０００１】
この発明は、装身具である指輪に関し、特に来歴などの情報を具備している指輪に関するものである。
【背景技術】
【０００２】
装身具としての指輪は、何らかの記念として入手したり、誕生日などの祝い事の際に贈り物としたりすることが広く行われている。そのため、記念の日付やその内容、送り相手に対するメッセージなどを指輪に付すことの希望が多々ある。そこで、特許文献１や特許文献２には、写真図形などを指輪に刻設する技術が記載されている。これらの特許文献に記載された技術は、写真などを元にして２階調化処理した図形データを作成するとともに、白黒正象フイルムを作成し、そのフイルムを使用してレジスト図形を指輪の表面に作り、そのレジスト図形の残余部分にサンドブラスト加工を施す刻設方法である。
【０００３】
一方、個人識別情報や遊技情報を記憶させたＩＣチップを指に嵌めて保持できるように構成したデータキャリヤや指輪が特許文献３や特許文献４に記載されている。すなわち、特許文献３に記載されたデータキャリヤは、ＩＣチップを樹脂製の外装体に内蔵し、これを、環状に形成したアンテナに連接し、その環状の部分で指に嵌めるように構成されている。また、特許文献４に記載された指輪は、指に嵌めるリング状部材にＩＣ部を取り付けて構成されている。
【０００４】
なお、ＲＦＩＤ用タグを導電性部材に取り付ける構造として、導電性部材に装着穴を形成するとともに、その装着穴の周りに座繰り穴を形成し、ＲＦＩＤ用タグの信号送受信面と外周面とが導電性の金属部材によって覆われないように構成した構造が、特許文献５に記載されている。さらに、特許文献６には、装飾品に凹部を形成し、その内部にＩＣタグを埋め込んだ構成が記載されている。
【０００５】
【特許文献１】特開平１０−１０９５００号公報
【特許文献２】特開２００１−１６２９９２号公報
【特許文献３】特開２００３−２７１９１０号公報
【特許文献４】特開２００２−７４３１３号公報
【特許文献５】特開２００６−５３６０３号公報
【特許文献６】特開２００６−８５６６１号公報
【発明の開示】
【発明が解決しようとする課題】
【０００６】
上記の特許文献１あるいは特許文献２に記載されている刻設方法によれば、指輪の内面などに日付や顔の図形などを付することができる。しかしながら、その表示部分はリングの一部であるから、表示もしくは刻設できる内容は極めて限られたものとなり、特にリングの部分が円形断面もしくはこれに近い形状のものであれば、その表示箇所が更に狭く、そのためにいわゆるデータ量が更に制限される。また、限られた狭い箇所に表示を施すために、その作業性が悪く、さらに細かい表示になるので、見にくいうえに、表示内容を見るためには、指輪を外したり、向きを変えたりしなければならないので、面倒であったり、面白味に欠けるなどの問題があった。
【０００７】
また、上記の特許文献３や特許文献４に記載されているデータキャリヤや指輪は、ＩＣチップあるいはＩＣ部を指に嵌めるための構造であり、したがってデータ量が多いものの、それ自体は装身具ではないのみならず、装身具とするためには更なる改良が必要である。
【０００８】
この発明は上記の技術的課題に着目してなされたものであり、装身具として機能を損なわずに、記念日や贈答メッセージもしくは来歴などの多量の情報を保持させ、またその情報を容易に取り出すことのできる指輪を提供することを目的とするものである。
【課題を解決するための手段】
【０００９】
上記の目的を達成するために、請求項１の発明は、装飾部が指の背の部分に来るように指に嵌められるリング部を備えた指輪であって、前記リング部の中心に対して前記装飾部とは反対側の部分に、データを記憶させた記憶素子が、非金属材料によって被覆されかつその非金属材料を介して前記リング部の外周面側に露出した状態で取り付けられ、さらに前記装飾部とは反対側の部分における前記リング部の外表面に、前記非金属材料の露出面を模様の一部に含む装飾が施されていることを特徴とするものである。
【００１０】
請求項２の発明は、請求項１の発明において、前記記憶素子は、前記装飾部とは反対側の部分に形成された凹部内に配置され、かつその凹部に電磁波の伝播可能な前記非金属材料が充填されていることを特徴とする指輪である。
【００１１】
請求項３の発明は、請求項１の発明において、前記記憶素子は、前記装飾部とは反対側の部分に形成された凹部内に配置され、かつその凹部が電磁波の伝播可能な前記非金属材料で閉鎖されていることを特徴とする指輪である。
【発明の効果】
【００１３】
請求項１の発明によれば、通常の状態で指に嵌めた状態では、宝石が取り付けられ、あるいは模様が刻まれた装飾部が指の背の部分（手の甲側）にあり、これとは反対側である指の腹の部分（手のひら側）には、リング部に取り付けたＩＣチップなどの記憶素子が位置することになる。その記憶素子は、指輪を購入した記念日やその内容、メッセージなどの適宜のデータが記憶させられたものであってＲＦＩＤ用タグなどに用いられているものである。そして、その記憶素子は、樹脂あるいは宝石、マイカなどの非金属材料で被覆され、かつリング部の外面にその被覆を介して露出するように配置され、電磁波を遮蔽しないようになっている。したがって、この発明における非金属材料は、要は、電磁波を遮蔽しない材料からなるものである。
【００１４】
したがって、通常の状態で指に嵌めた指輪をリーダライタに近づけると、記憶素子に記憶させてあるデータが読み取られてパソコン用モニターや携帯電話の画面などに表示される。その表示の態様は、パソコンなどのコントローラによって適宜に設定できるので、容易に見て取れるものとなり、またデータ量が大きいので、多様かつ豊富な情報を見て取ることができる。また、指輪からのデータの出力は、音声として出力することもできる。さらに、指輪を通常の状態で指に嵌めたまま、指輪をリーダライタに近づければデータを外部に出力させることができるので、指輪を外すなどの煩わしさを解消することができる。さらにはパソコンの操作中に、パソコンのカード型リーダライタに指輪を近づければ、記憶素子に記憶させてあるデータをパソコンに表示させることができるので、面白味のある指輪とすることができる。また、請求項１の発明によれば、樹脂などの非金属材料がリング部の外表面に露出するものの、リング部の装飾デザインの一部に溶け込んでしまうので、装身具としての指輪の価値を高めることができ、少なくともリング部の外観を良好に維持することができる。
【００１５】
また請求項２あるいは請求項３の発明によれば、非金属材料がリング部の外表面に露出するものの、記憶素子はリング部に埋め込んだ状態になるので、リング部の外表面に突起部分もしくは突出部分が生じることを回避して、指輪の装身具としての価値を損なうことがなく、またリング部のデザインの自由度が制約されることがない。
【発明を実施するための最良の形態】
【００１７】
つぎにこの発明の具体例を図面を参照して説明する。指輪は、ファッションリング、インタリオリング、婚約指輪、結婚指輪などに分類されているところ、この発明に係る指輪は、これらいずれの指輪であってもよい。したがって、この発明の指輪は、従来一般のものと同様の外観を呈するものであり、指に嵌めるリング部を主体とし、その外周の一部に装飾部が設けられている。
【００１８】
そのリング部は、内周面は円形をなすが、外周面は、円形あるいはそれ以外の形状であってよく、デザインの任意性から凹凸のある形状、厚肉部のある形状、捻れた形状などであってもよい。図１には単純な環状のリング部１を示してある。
【００１９】
装飾部は、要は、用途に応じて設けられるものであって、宝石などの装飾部品が取り付けられた部分や模様が刻設された部分であり、さらにインタリオリングにあっては印章を形成した部分である。この装飾部は、前記リング部を通常の状態で指に嵌めた場合に指の背の部分（手の甲側を向く部分）に設けられている。図１には、宝石２を爪３で固定して構成した装飾部４を示してある。
【００２０】
上記のリング部１のうち装飾部４とは、リング部１の中心に対して反対側の部分（指に嵌めた場合に指の腹の部分あるいは手のひら側の部分）に、ＩＣチップ５などの記憶素子が取り付けられている。このＩＣチップ５は、一例として１００ｂｉｔ程度もしくはそれ以上のメモリ容量を持った無線自動認識可能な記憶素子であって、受信電波で生じる起電力によって動作する１ｍｍ程度あるいはそれ以下の幅寸法のチップである。そして、このＩＣチップ５は回路部とアンテナとを一体にして構成されている。なお、この発明における記憶素子は、読み取り専用の素子に限られないのであって、書き込みも可能な素子であってもよい。
【００２１】
図１に示す例では、ＩＣチップ５はリング部１の外表面側に埋め込んだ状態で取り付けられている。具体的に説明すると、図２に示すように、ＩＣチップ５は合成樹脂６などの非金属材料によって全体を被覆されており、その状態で、リング部１の外表面側に形成された凹部７の内部に嵌め込まれている。言い換えれば、ＩＣチップ５は凹部７の内部に配置され、かつその凹部７に充填した合成樹脂６の内部に埋め込まれている。その合成樹脂６の表面は、リング部１の外表面と一致していて、この部分は平坦面もしくは滑らかな面となっている。したがって、ＩＣチップ５はその合成樹脂６を介してリング部１の外表面側に露出した状態になっている。
【００２２】
なおここで、上記の合成樹脂６は、ＩＣチップ５を衝撃などから保護すると同時に、図示しないリーダライタとの間での送受信を可能にするためのものであり、したがって電磁波の透過性のある樹脂が使用されている。なお、マイカや宝石などの電磁波を遮蔽しない材料を使用してもよいことは前述したとおりである。そのため、リング部１は金や白金などの通常使用されている金属であってよく、あるいはべっ甲などの金属以外の素材で形成されていてもよい。
【００２３】
ＩＣチップ５に記憶させるデータは、文字データや図形データあるいは写真のデータ、さらには映像データや音声データ、適宜のセキュリティーシステムのためのキーデータなどの適宜のデータであってよく、ＩＣチップ５のメモリ容量が大きいことにより、かなり多量かつ多様なデータを記憶させておくことができる。また、そのデータの内容は、指輪の購入年月日、記念日の内容、出来事、贈答主と受取手との氏名や顔写真、贈答の文字メッセージや図形メッセージなどとすることができ、リーダライタによって書き込むことができる。
【００２４】
ＩＣチップ５とリーダライタとの間でのデータの送受信は、例えば特開２００２−７４３１３号公報に記載されているように従来知られている方式によって行うことができる。したがって、上述した図１に示す指輪を通常の状態で指に嵌めると、装飾部４が指の背側に位置し、ＩＣチップ５が指の腹側に位置する。その状態で手のひらをリーダライタにかざして指輪をリーダライタに近づけると、ＩＣチップ５に記憶させてあるデータが読み取られる。例えば、パソコンのキー操作を行っている状態で、そのパソコンに設けてあるカード型リーダライタに手をかざせば、パソコンの操作中に指輪のＩＣチップ５に記憶させてある情報をパソコンに表示させ、あるいは音声として出力させることができ、また携帯電話を利用してのその画面に表示させ、もしくは音声出力させることができる。
【００２５】
このように、この発明に係る指輪にあっては、情報をＩＣチップ５に記憶させて指輪に保持させてあるから、その情報量が多量かつ多様であり、しかもその情報をパソコンのモニターなどの外部出力機器に出力させることができるので、情報を容易に視認することができ、または聴取することが可能になり、しかも情報量が大きいことにより面白味や有用さを向上させることができる。また、指輪の装着状態を変える必要がないので、情報を取り出す際の煩わしさを解消することができる。
【００２６】
なお、この発明は上述した具体例に限定されないのであって、ＩＣチップ５をリング部１に形成した凹部に入れた状態で、その凹部の開口端を合成樹脂などの電磁波を遮蔽しない材料を凹部に充填し、あるいはその種の材料からなる蓋で密閉することにより、ＩＣチップ５をリング部に保持させた構成としてもよい。また合成樹脂などの電磁波を遮蔽しない材料で被覆したＩＣチップをリング部の外表面に貼り付けた構成としてもよい。さらに、この発明においては、ＩＣチップを被覆している合成樹脂などの電磁波を遮蔽しない材料がリング部の外表面に露出することになるので、装飾部とは反対側のリング部の外表面に図１に示すように装飾デザイン８を施し、合成樹脂などの電磁波を遮蔽しない材料の露出面がその装飾デザイン８の一部を構成するようにすることが好ましい。このようにすれば、合成樹脂などの電磁波を遮蔽しない材料がリング部の外表面に露出することによる違和感を回避することができ、あるいは指輪のファッション性を向上させることができる。
【図面の簡単な説明】
【００２７】
【図１】この発明の一例を示す斜視図である。
【図２】ＩＣチップの取り付け状態の一例を示す部分断面拡大図である。
【符号の説明】
【００２８】
１…リング部、  ２…宝石、  ３…爪、  ４…装飾部、  ５…ＩＣチップ、  ６…合成樹脂、  ７…凹部、  ８…装飾デザイン。
【図１】
0005096827.tif 000002
【図２】
0005096827.tif 000003